(57)【要約】【課題】便器の殺菌洗浄のための洗浄水を低消費電力で生成する。【解決手段】洗浄水浄化装置（62）に、洗浄タンク（5）の洗浄水（W）中でストリーマ放電を生起する電極対（64,65）と、電極対（64,65）に直流電圧を印可する電源部（70）とを設け、電極対（64,65）の間におけるストリーマ放電によって洗浄タンク（5）内の洗浄水（W）中で過酸化水素を発生させて過酸化水素を含む洗浄水（W）を生成するように構成する。電源部（70）が電極対（64,65）に電圧を印加すると、洗浄水（W）中でストリーマ放電が行われ、過酸化水素が生成される。そして、この洗浄水（W）が便器（3）に供給されて過酸化水素によって便器（3）が殺菌洗浄される。【選択図】図２
2012077439.tif 000002
【特許請求の範囲】
【請求項１】
トイレ（1）の洗浄水（W）を貯留して洗浄水供給孔（5d）から便器（3）に供給する洗浄タンク（5）内で上記洗浄水（W）を浄化する洗浄水浄化装置であって、
上記洗浄タンク（5）の洗浄水（W）中でストリーマ放電を生起する電極対（64,65）と、該電極対（64,65）に直流電圧を印可する電源部（70）とを有し、上記電極対（64,65）の間におけるストリーマ放電によって上記洗浄タンク（5）内の洗浄水（W）中で過酸化水素を発生させて過酸化水素を含む洗浄水（W）を生成するように構成されていることを特徴とする洗浄水浄化装置。
【請求項２】
請求項１に記載の洗浄水浄化装置において、
上記電極対（64,65）は、前記ストリーマ放電を上記洗浄タンク（5）の底部側で起こすように配置されていることを特徴とする洗浄水浄化装置。
【請求項３】
請求項１に記載の洗浄水浄化装置において、
上記洗浄タンク（5）内には、イオンの通過を抑制する仕切り（30）が洗浄タンク（5）内を、上記電極対（64,65）のうちの正極側の電極（64）が配置される第１室（7）と、上記電極対（64,65）のうちの負極側の電極（65）が配置される第２室（9）とに仕切るように設けられ、上記第１室（7）側に上記洗浄水供給孔（5d）が配置されていることを特徴とする洗浄水浄化装置。
【請求項４】
請求項１〜３のいずれか１項に記載の洗浄水浄化装置（62）と、上記便器（3）と、上記洗浄タンク（5）とを備えたトイレ。
【発明の詳細な説明】
【技術分野】
【０００１】
本発明は、トイレの洗浄水を貯留して洗浄水供給孔から便器に供給する洗浄タンク内で上記洗浄水を浄化する洗浄水浄化装置及び当該洗浄水浄化装置を備えたトイレに関するものである。
【背景技術】
【０００２】
特許文献１に開示された洗浄水供給装置は、塩化物イオンを含む水道水から次亜塩素酸を含む酸性電解水を電気分解反応により生成し、殺菌洗浄のための洗浄水として便器に供給している。
【先行技術文献】
【特許文献】
【０００３】
【特許文献１】特開２００７−３３２５３７号公報
【発明の概要】
【発明が解決しようとする課題】
【０００４】
しかし、上記特許文献１では、次亜塩素酸の残留性が低いため、酸性電解水が生成されてから短時間で殺菌洗浄効果を失ってしまう。従って、酸性電解水を作り置きして使用する場合、酸性電解水を頻繁に生成し直す必要が生じ、消費電力の増大を招く。
【０００５】
本発明は、かかる点に鑑みてなされたものであり、その目的は、便器の殺菌洗浄のための洗浄水を低消費電力で生成することである。
【課題を解決するための手段】
【０００６】
第１の発明は、トイレ（1）の洗浄水（W）を貯留して洗浄水供給孔（5d）から便器（3）に供給する洗浄タンク（5）内で上記洗浄水（W）を浄化する洗浄水浄化装置であって、上記洗浄タンク（5）の洗浄水（W）中でストリーマ放電を生起する電極対（64,65）と、該電極対（64,65）に直流電圧を印可する電源部（70）とを有し、上記電極対（64,65）の間におけるストリーマ放電によって上記洗浄タンク（5）内の洗浄水（W）中で過酸化水素を発生させて過酸化水素を含む洗浄水（W）を生成するように構成されていることを特徴とする。
【０００７】
第１の発明において、電源部（70）が電極対（64,65）に電圧を印加すると、洗浄水（W）中でストリーマ放電が起こる。洗浄水（W）中でストリーマ放電が起きると、水酸ラジカル等の活性種が生成される。生成した活性種が水分子と反応すると、多量の過酸化水素が生成される。その結果、過酸化水素を含む洗浄水（W）が簡便に得られる。そして、この洗浄水（W）が便器（3）に供給されて過酸化水素によって便器（3）が殺菌洗浄される。
【０００８】
第２の発明では、第１の発明において、上記電極対（64,65）は、前記ストリーマ放電を上記洗浄タンク（5）の底部側で起こすように配置されていることを特徴とする。
【０００９】
第２の発明において、電源部（70）が電極対（64,65）に電圧を印加すると、洗浄タンク（5）の底部側でストリーマ放電が起こり、過酸化水素が生成される。生成された過酸化水素は、ストリーマ放電により発生した熱によって洗浄タンク（5）の上方に対流する。したがって、このように対流する過酸化酸素により、洗浄タンク（5）の全体が殺菌洗浄される。
【００１０】
第３の発明は、第１の発明において、上記洗浄タンク（5）内には、イオンの通過を抑制する仕切り（30）が洗浄タンク（5）内を、上記電極対（64,65）のうちの正極側の電極（64）が配置される第１室（7）と、上記電極対（64,65）のうちの負極側の電極（65）が配置される第２室（9）とに仕切るように設けられ、上記第１室（7）側に上記洗浄水供給孔（5d）が配置されていることを特徴とする。
【００１１】
第３の発明において、洗浄タンク（5）内が第１室（7）と第２室（9）に仕切られ、第１室（7）内に、上記電極対（64,65）のうちの正極側の一方（64）が配置される。したがって、ストリーマ放電が起こると第１室（7）では洗浄水（W）中の水素イオンが増加して洗浄水（W）が酸性になり、第１室（7）側に配置された洗浄水供給孔（5d）から酸性の洗浄水（W）が便器（3）に供給される。
【００１２】
また、上記電極対（64,65）に対する直流電圧の印加が止まっているときでも、第１室（7）の酸性の洗浄水（W）と第２室（9）のアルカリ性の洗浄水（W）との中和が仕切り（30）によって抑制される。
【００１３】
第４の発明は、第１〜第３の発明の構成と、上記便器（3）と、上記洗浄タンク（5）とを備えたことを特徴とする。
【００１４】
第４の発明において、電源部（70）が電極対（64,65）に電圧を印加すると、洗浄タンク（5）内の洗浄水（W）中でストリーマ放電が起こる。洗浄水（W）中でストリーマ放電が起きると、水酸ラジカル等の活性種が生成される。生成した活性種が水分子と反応すると、多量の過酸化水素が生成される。その結果、過酸化水素を含む洗浄水（W）が簡便に得られる。そして、この洗浄水（W）が便器（3）に供給されて過酸化水素によって便器（3）が殺菌洗浄される。
【発明の効果】
【００１５】
本発明によれば、洗浄タンク（5）内の電極対（64,65）に電圧を印加することによって洗浄水（W）中でストリーマ放電を発生させ、洗浄水（W）中でのストリーマ放電によって生成した過酸化水素を利用して、便器（3）を殺菌洗浄している。過酸化水素は次亜塩素酸に比べて残留性が高く、短時間で殺菌洗浄効果を失わないため、洗浄水（W）を作り置きして使用する場合でも、洗浄水（W）を頻繁に生成し直す必要が生じず、消費電力を削減できる。
【００１６】
また、本発明では、直流電圧を用いてストリーマ放電を行っているので、例えばパルス電源を用いる場合と比較して、電源部の簡素化、低コスト化、小型化を図ることができる。また、パルス電源を用いると、放電に伴って水中で発生する衝撃波や騒音が大きくなってしまう。これに対し、直流電圧を用いると、このような衝撃波や騒音も低減できる。
【００１７】
また、上記第２の発明によれば、ストリーマ放電により発生した過酸化水素が洗浄タンク（5）の底部から上部にかけて対流するので、洗浄タンク（5）全体を殺菌洗浄できる。
【００１８】
また、上記第３の発明によれば、第１室（7）側に配置された洗浄水供給孔（5d）から酸性の洗浄水（W）が便器（3）に供給されるので、便器（3）内における尿石の形成が防止される。また、上記電極対（64,65）に対する直流電圧の印加が止まっているときでも、第１室（7）の酸性の洗浄水（W）と第２室（9）のアルカリ性の洗浄水（W）との中和が仕切り（30）によって抑制されるので、洗浄水（W）を作り置きして使用する場合でも、第１室（7）の洗浄水（W）が酸性に保たれ、尿石形成の防止効果を得ることができる。
【００１９】
また、上記第４の発明によれば、洗浄タンク（5）内の電極対（64,65）に電圧を印加することによって洗浄水（W）中でストリーマ放電を発生させ、洗浄水（W）中でのストリーマ放電によって生成した過酸化水素を利用して、便器（3）を殺菌洗浄している。過酸化水素は次亜塩素酸に比べて残留性が高く、短時間で殺菌洗浄効果を失わないため、洗浄水（W）を作り置きして使用する場合でも、洗浄水（W）を頻繁に生成し直す必要が生じず、消費電力を削減できる。
【図面の簡単な説明】
【００２０】
【図１】図１は、実施形態１に係るトイレの斜視図である。
【図２】図２は、実施形態１に係る水浄化ユニットの全体構成図であり、水浄化動作を開始する前の状態を示すものである。
【図３】図３は、実施形態１に係る絶縁ケーシングの斜視図である。
【図４】図４は、実施形態１に係る水浄化ユニットの全体構成図であり、水浄化動作を開始して気泡が形成された状態を示すものである。
【図５】図５は、実施形態１の変形例に係る水浄化ユニットの全体構成図である。
【図６】図６は、実施形態１の変形例に係る絶縁ケーシングの斜視図である。
【図７】図７は、実施形態２に係る水浄化ユニットの全体構成図であり、水浄化動作を開始する前の状態を示すものである。
【図８】図８は、実施形態２に係る水浄化ユニットの全体構成図であり、水浄化動作を開始して気泡が形成された状態を示すものである。
【図９】図９は、実施形態２の変形例に係る絶縁ケーシングの蓋部の平面図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
《発明の実施形態１》
図１は、本発明の実施形態１に係るトイレ（1）を示す。このトイレ（1）は、陶器製の便器（3）と、便器（3）の後方に配置された陶器製の洗浄タンク（5）とを備えている。洗浄タンク（5）は、上方が解放した縦長の箱形の本体部（5a）を備え、この本体部（5a）は、蓋部(5b)により密閉されるようになっている。図２に示すように、本体部（5a）の後方側側壁の上端寄りには、水道水を洗浄タンク（5）に供給するための水道水供給孔（5c）が形成されている一方、本体部（5a）の前方側側壁の下端には、貯留された洗浄水（W）を便器（3）に供給するための洗浄水供給孔（5d）が形成されている。水道水供給孔（5c）には、金属製の流入管（51）の端部が外側から嵌合し、洗浄水供給孔（5d）には、金属製の流出管（52）の端部が外側から嵌合している。
【００２３】
また、洗浄タンク（5）内には、イオンの通過を抑制する仕切りとして樹脂パネル（30）が洗浄タンク（5）内を前側の第１室（7）と後側の第２室（9）とに仕切るように設けられている。樹脂パネル（30）の下方には貫通孔（31）が形成されている。
【００２４】
洗浄タンク（5）内には、図２に示すように、洗浄水浄化装置（62）が設けられている。洗浄水浄化装置（62）は、放電電極（64）及び対向電極（65）とからなる電極対（64,65）と、この電極対（64,65）に電圧を印加する電源部（70）と、放電電極（64）を内部に収容する絶縁ケーシング（71）とを備えている。なお、洗浄タンク（5）と洗浄水浄化装置（62）とで、水浄化ユニット（60）が構成されている。
【００２５】
電極対（64,65）は、水中でストリーマ放電を生起するためのものである。放電電極（64）は、絶縁ケーシング（71）の内部に配置されている。放電電極（64）は、上下方向に延びる扁平な板状に形成されている。放電電極（64）は、電源部（70）の正極側に接続されている。放電電極（64）は、例えばステンレス、銅等の導電性の金属材料で構成されている。放電電極（64）及び絶縁ケーシング（71）は、第１室（7）に配置されている。
【００２６】
対向電極（65）は、第２室（9）に配置されている。対向電極（65）は、扁平な板状であって、且つ複数の貫通孔（66）を有するメッシュ形状ないしパンチングメタル形状に構成されている。対向電極（65）は、放電電極（64）と略平行に配設されている。対向電極（65）は、電源部（70）の負極側に接続されている。対向電極（65）は、例えばステンレス、真鍮等の導電性の金属材料で構成されている。
【００２７】
電源部（70）は、電極対（64,65）に所定の直流電圧を印加する直流電源で構成されている。即ち、電源部（70）は、電極対（64,65）に対して瞬時的に高電圧を繰り返し印加するようなパルス電源ではなく、電極対（64,65）に対して常に数キロボルトの直流電圧を印加する。電源部（70）のうち、対向電極（65）が接続される負極側は、アースと接続されている。また、電源部（70）には、電極対（64,65）の放電電力を一定に制御する定電力制御部が設けられている（図示省略）。
【００２８】
絶縁ケーシング（71）は、洗浄タンク（5）の底部に設置されている。絶縁ケーシング（71）は、例えばセラミックス等の絶縁材料で構成されている。絶縁ケーシング（71）は、対向電極（65）に向けて開放する容器状のケース本体（72）と、該ケース本体（72）の開放側を閉塞する板状の蓋部（73）とを有している。
【００２９】
ケース本体（72）は、角型筒状の側壁部（72a）と、該側壁部（72a）の底面を閉塞する底部（72b）とを有している。放電電極（64）は、底部（72b）の上側に敷設されている。絶縁ケーシング（71）では、蓋部（73）と底部（72b）との間の距離が、放電電極（64）の厚さよりも長くなっている。つまり、放電電極（64）と蓋部（73）との間には、所定の間隔が確保されている。これにより、絶縁ケーシング（71）の内部では、放電電極（64）とケース本体（72）と蓋部（73）との間に空間（S）が形成される。  
【００３０】
図２及び図３に示すように、絶縁ケーシング（71）の蓋部（73）には、該蓋部（73）を厚さ方向に貫通する１つの開口（74）が形成されている。この開口（74）により、放電電極（64）と対向電極（65）との間の電界の形成が許容されている。蓋部（73）の開口（74）の内径は、０．０２ｍｍ以上０．５ｍｍ以下であることが好ましい。以上のような開口（74）は、電極対（64,65）の間の電流経路の電流密度を上昇させる電流密度集中部を構成する。
【００３１】
以上のように、絶縁ケーシング（71）は、電極対（64,65）のうちの一方の電極（放電電極（64））のみを内部に収容し、且つ電流密度集中部としての開口（74）を有する絶縁部材を構成している。絶縁ケーシング（71）は開口（74）を対向電極（65）側に向けた状態で、洗浄タンク（5）の底部から深さ方向中程まで延びている。
【００３２】
加えて、絶縁ケーシング（71）の開口（74）内では、電流経路の電流密度が上昇することで、図４に示すように、水がジュール熱によって気化して気泡（B）が形成される。つまり、絶縁ケーシング（71）の開口（74）は、該開口（74）に気相部としての気泡（B）を形成する気相形成部として機能する。
【００３３】
−運転動作−
本実施形態では、洗浄水浄化装置（62）が運転されることで、洗浄タンク（5）内の水の浄化がなされる。このような洗浄水浄化装置（62）による水の浄化動作について詳細に説明する。
【００３４】
洗浄水浄化装置（62）の運転の開始時には、図２に示すように、絶縁ケーシング（71）の内の空間（S）が浸水した状態となっている。電源部（70）から電極対（64,65）に所定の直流電圧（例えば１ｋＶ）が印加されると、電極対（64,65）の間に電界が形成される。放電電極（64）の周囲は、絶縁ケーシング（71）で覆われている。このため、電極対（64,65）の間での漏れ電流が抑制されるとともに、開口（74）内の電流経路の電流密度が上昇した状態となる。
【００３５】
開口（74）内の電流密度が上昇すると、開口（74）内のジュール熱が大きくなる。その結果、絶縁ケーシング（71）では、開口（74）の近傍（洗浄タンク（5）の底部側）において、水の気化が促進されて気泡（B）が形成される。この気泡（B）は、図４に示すように、開口（74）のほぼ全域を覆う状態となり、対向電極（65）に導通する負極側の水と、正極側の放電電極（64）との間に気泡（B）が介在する。従って、この状態では、気泡（B）が、放電電極（64）と対向電極（65）との間での水を介した導電を阻止する抵抗として機能する。これにより、放電電極（64）と対向電極（65）との間の漏れ電流が抑制され、電極対（64,65）間では、所望とする電位差が保たれることになる。すると、気泡（B）内では、絶縁破壊に伴いストリーマ放電が発生する。
【００３６】
このとき、上記気泡（B）における気液界面の近傍では、次式（１）に示すような反応が起こる。この反応により、水酸化イオン（ＯＨ−）が減少して水素イオン（Ｈ＋）が増加する。この結果、水素イオン指数が減少し、酸性水が生成される。この酸性水は、洗浄水供給孔（5d）（流出管（52））を介して便器（3）に供給される。
【００３７】
２Ｈ２Ｏ  →  Ｏ２＋４Ｈ＋＋４ｅ−              （１）
以上のようにして、気泡（B）でストリーマ放電が行われると、洗浄タンク（5）内の水中では、水酸ラジカル等の活性種や過酸化水素等が生成される。水酸ラジカル等の活性種や過酸化水素は、ストリーマ放電に伴う熱によって洗浄タンク（5）内を対流する。これにより、水中での活性種や過酸化水素の拡散が促される。また、気泡（B）でストリーマ放電が行われると、このストリーマ放電に伴ってこの気泡（B）でイオン風を生成し易くなる。よって、洗浄タンク（5）内では、このイオン風を利用して、活性種や過酸化水素の拡散効果を更に向上できる。
【００３８】
−実施形態１の効果−
実施形態１では、洗浄タンク（5）内の電極対（64,65）に電圧を印加することによって洗浄水（W）中でストリーマ放電を発生させ、洗浄水（W）中でのストリーマ放電によって生成した過酸化水素を利用して、便器（3）を殺菌洗浄している。過酸化水素は次亜塩素酸に比べて残留性が高く、短時間で殺菌洗浄効果を失わない。具体的に、過酸化水素であれば、水温が約４０℃の条件下で約１時間放置されても、約８％程度しか濃度が低下しない。このため、上記実施形態１では、洗浄水（W）を作り置きして使用する場合でも、洗浄水（W）を頻繁に生成し直す必要が生じず、消費電力を削減できる。
【００３９】
また、実施形態１では、電極対（64,65）が洗浄タンク（5）の底部に配置され、洗浄タンク（5）の底部側でストリーマ放電が起き、水酸ラジカル等の活性種や過酸化水素が、ストリーマ放電に伴う熱によって洗浄タンク（5）内を底部から上部にかけて対流する。したがって、洗浄タンク（5）全体を殺菌洗浄できる。
【００４０】
また、実施形態１では、第１室（7）側に配置された洗浄水供給孔（5d）から酸性の洗浄水（W）が便器（3）に供給されるので、便器（3）内における尿石の形成が防止される。また、上記電極対（64,65）に対する直流電圧の印加が止まっているときでも、第１室（7）の酸性の洗浄水（W）と第２室（9）のアルカリ性の洗浄水（W）との中和が仕切り（30）によって抑制されるので、洗浄水（W）を作り置きして使用する場合でも、第１室（7）の洗浄水（W）が酸性に保たれ、尿石形成の防止効果を得ることができる。
【００４１】
〈実施形態１の変形例１〉
上記実施形態１では、絶縁ケーシング（71）の蓋部（73）に１つの開口（74）が形成されている。しかしながら、例えば図５及び図６に示すように、絶縁ケーシング（71）を洗浄タンク（5）の上半部分まで延出させ、絶縁ケーシング（71）の蓋部（73）に複数の開口（74）を形成してもよい。この変形例では、絶縁ケーシング（71）の蓋部（73）が、略正方形板状に形成され、この蓋部（73）に複数の開口（74）が等間隔を置きながら碁盤目状に配列されている。一方、放電電極（64）及び対向電極（65）は、全ての開口（74）に跨るような正方形板状に形成されている。
【００４２】
この変形例においても、各開口（74）が、電流密度集中部、及び気相形成部として機能する。これにより、電源部（70）から電極対（64,65）に直流電圧が印加されると、各開口（74）の電流密度が上昇し、各開口（74）で気泡（B）が形成される。その結果、各気泡（B）でそれぞれストリーマ放電が生起され、水酸ラジカル等の活性種や、過酸化水素が生成される。
【００４３】
《発明の実施形態２》
実施形態２に係るトイレ（1）は、上述した実施形態１と洗浄水浄化装置（62）の構成が異なるものである。以下には、上記実施形態１と異なる点を主として説明する。
【００４４】
図７に示すように、実施形態２の洗浄水浄化装置（62）は、洗浄タンク（5）の外側から内部に向かって挿入されて固定される、いわゆるフランジユニット式に構成されている。また、実施形態２の洗浄水浄化装置（62）は、放電電極（64）と対向電極（65）と絶縁ケーシング（71）とが一体的に組立てられている。また、実施形態２では、洗浄タンク（5）内に樹脂パネル（30）が設けられていない。
【００４５】
実施形態２の絶縁ケーシング（71）は、大略の外形が円筒状に形成されている。絶縁ケーシング（71）は、ケース本体（72）と蓋部（73）とを有している。
【００４６】
実施形態２のケース本体（72）は、ガラス質又は樹脂製の絶縁材料で構成されている。ケース本体（72）は、円筒状の基部（76）と、該基部（76）から洗浄タンク（5）側に向かって突出する筒状壁部（77）と、該筒状壁部（77）の外縁部から更に洗浄タンク（5）側に向かって突出する環状凸部（78）とを有している。また、ケース本体（72）には、環状凸部（78）の先端側に先端筒部（79）が一体に形成されている。基部（76）の軸心部には、円柱状の挿入口（76a）が軸方向に延びて貫通形成されている。筒状壁部（77）の内側には、挿入口（76a）と同軸となり、且つ挿入口（76a）よりも大径となる円柱状の空間（S）が形成されている。
【００４７】
実施形態２の蓋部（73）は、略円板状に形成されて環状凸部（78）の内側に嵌合している。蓋部（73）は、セラミックス材料で構成されている。蓋部（73）の軸心には、実施形態１と同様、蓋部（73）を上下に貫通する円形状の１つの開口（74）が形成されている。
【００４８】
放電電極（64）は、軸直角断面が円形状となる縦長の棒状の電極で構成されている。放電電極（64）は、基部（76）の挿入口（76a）に嵌合している。これにより、放電電極（64）は、絶縁ケーシング（71）の内部に収容されている。実施形態２では、放電電極（64）のうち洗浄タンク（5）とは反対側の端部が、洗浄タンク（5）の外部に露出される状態となる。このため、洗浄タンク（5）の外部に配置される電源部（70）と、放電電極（64）とを電気配線によって容易に接続することができる。
【００４９】
放電電極（64）のうち洗浄タンク（5）側の端部（64a）は、絶縁ケーシング（71）の内部の空間（S）に臨んでいる。なお、図７に示す例では、放電電極（64）の端部（64a）が、挿入口（76a）の開口面よりも上側（洗浄タンク（5）側）に突出しているが、この端部（64a）の先端面を挿入口（76a）の開口面と略面一としてもよいし、端部（64a）を挿入口（76a）の開口面よりも下側に陥没させてもよい。また、放電電極（64）は、実施形態１と同様、開口（74）を有する蓋部（73）との間に所定の間隔が確保されている。
【００５０】
対向電極（65）は、円筒状の電極本体（65a）と、該電極本体（65a）から径方向外方へ突出する鍔部（65b）とを有している。電極本体（65a）は、絶縁ケーシング（71）のケース本体（72）に外嵌している。鍔部（65b）は、洗浄タンク（5）の壁部に固定されて洗浄水浄化装置（62）を保持する固定部を構成している。洗浄水浄化装置（62）が洗浄タンク（5）に固定された状態では、対向電極（65）の電極本体（65a）の一部が浸水された状態となる。
【００５１】
対向電極（65）は、電極本体（65a）よりも小径の内側筒部（65c）と、該内側筒部（65c）と電極本体（65a）との間に亘って形成される連接部（65d）とを有している。内側筒部（65c）及び連接部（65d）は、洗浄タンク（5）内の水中に浸漬している。内側筒部（65c）は、その内部に円柱空間（67）を形成している。内側筒部（65c）の軸方向の一端は、蓋部（73）と当接して該蓋部（73）を保持する保持部を構成している。また、電極本体（65a）と内側筒部（65c）と連接部（65d）の間には、ケース本体（72）の先端筒部（79）が内嵌している。内側筒部（65c）の軸方向の他端側には、円柱空間（67）を覆うようにメッシュ状の漏電防止材（68）が設けられている。この漏電防止材（68）は、対向電極（65）と接触することで、実質的にアースされている。これにより、漏電防止材（68）は、洗浄タンク（5）の内部の空間（水中）のうち、円柱空間（67）の内側から外側への漏電を防止している。
【００５２】
対向電極（65）は、電極本体（65a）の一部が洗浄タンク（5）の外部に露出される状態となる。このため、電源部（70）と対向電極（65）とを電気配線によって容易に接続することができる。
【００５３】
−水浄化ユニットの運転動作−
実施形態２のトイレ（1）においても、洗浄水浄化装置（62）が運転されることで、洗浄タンク（5）に貯留された洗浄水（W）の浄化がなされる。
【００５４】
洗浄水浄化装置（62）の運転の開始時には、図７に示すように、絶縁ケーシング（71）の内の空間（S）が浸水した状態となっている。電源部（70）から電極対（64,65）に所定の直流電圧（例えば１ｋＶ）が印加されると、開口（74）の内部の電流密度が上昇していく。
【００５５】
図７に示す状態から、電極対（64,65）へ更に直流電圧が継続して印加されると、開口（74）内の水が気化されて気泡（B）が形成される（図８を参照）。この状態では、気泡（B）が開口（74）のほぼ全域を覆う状態となり、円柱空間（67）内の負極側の水と、放電電極（64）との間に気泡（B）による抵抗が付与される。これにより、放電電極（64）と対向電極（65）との間の電位差が保たれ、気泡（B）でストリーマ放電が発生する。その結果、水中では、水酸ラジカルや過酸化水素が生成され、これらの成分が水の浄化に利用される。
【００５６】
〈実施形態２の変形例〉
上記実施形態２では、円板状の蓋部（73）の軸心に１つの開口（74）を形成しているが、この蓋部（73）に複数の開口（74）を形成してもよい。図９に示す例では、蓋部（73）の軸心を中心とする仮想ピッチ円上に、５つの開口（74）が等間隔置きに配列されている。このように蓋部（73）に複数の開口（74）を形成することで、各開口（74）の近傍でそれぞれストリーマ放電を生起させることができる。
【００５７】
《その他の実施形態》
上記実施形態については、以下のような構成としてもよい。
【００５８】
上記実施形態１では、貫通孔（31）を有する樹脂パネル（30）を洗浄タンク（5）内に設けたが、イオンの通過を抑制し、かつ洗浄水（W）を通過させる仕切りであれば、金属パネル等、他の材質の仕切りを設けてもよい。
【００５９】
上述した実施形態１，２の電源部（70）には、ストリーマ放電の放電電力を一定に制御する定電力制御部を用いている。しかしながら、定電力制御部に代えて、ストリーマ放電時の放電電流を一定に制御する定電流制御部を設けることもできる。この定電流制御を行うと、水の導電率によらず放電が安定するため、スパークの発生も未然に回避できる。
【００６０】
また、上述した各実施形態では、電源部（70）の正極に放電電極（64）を接続し、電源部（70）の負極に対向電極（65）を接続している。しかしながら、電源部（70）の負極に放電電極（64）を接続し、電源部（70）の正極に対向電極（65）を接続することで、電極対（64,65）の間で、いわゆるマイナス放電を行うようにしてもよい。
【産業上の利用可能性】
【００６１】
以上説明したように、本発明は、トイレの洗浄水を貯留して便器に供給する洗浄タンク内で、上記洗浄水を浄化する洗浄水浄化装置について有用である。
【符号の説明】
【００６２】
1    トイレ
3    便器
5    洗浄タンク
5d   洗浄水供給孔
7    第１室
9    第２室
30   仕切り
62   洗浄水浄化装置
64   正極側の電極（電極対）
65   負極側の電極（電極対）
70   電源部
【図１】
2012077439.tif 000003
【図２】
2012077439.tif 000004
【図３】
2012077439.tif 000005
【図４】
2012077439.tif 000006
【図５】
2012077439.tif 000007
【図６】
2012077439.tif 000008
【図７】
2012077439.tif 000009
【図８】
2012077439.tif 000010
【図９】
2012077439.tif 000011